【手続補正書】
【提出日】平成27年4月1日(2015.4.1)
【手続補正１】
【補正対象書類名】特許請求の範囲
【補正対象項目名】全文
【補正方法】変更
【補正の内容】
【特許請求の範囲】
【請求項１】
描画データを記憶するフレームバッファと、
垂直同期信号を生成し、前記フレームバッファに記憶されている描画データに基づく画像を表示する表示部と、
前記垂直同期信号を検出して、垂直同期信号検出の通知を出力する垂直同期検出部と、
前記垂直同期信号の発生時からの経過時間を示すカウント値を出力するカウンタ部と、
前記フレームバッファに転送される転送用描画データを格納するフレームバッファ転送用領域と前記フレームバッファ転送用領域に格納されている描画データを構成するコンテンツの更新に使用する更新用描画データを格納する更新用コンテンツ領域とを有する描画データ記憶部と、
表示更新部を有する描画制御部と
を備え、
前記描画制御部は、
前記表示部が表示する表示パタンを構成するコンテンツを受け取り、該コンテンツを定義したコンテンツプロファイルを生成し、
前記垂直同期信号検出の通知を受けて、前記フレームバッファ転送用領域が格納している転送用描画データを前記フレームバッファに転送させ、
前記コンテンツプロファイルに含まれる更新周期に基づいて決まる、対象となる更新用コンテンツ領域の更新用描画データを、前記フレームバッファ転送用領域に転送して、前記転送用描画データを変更し、
前記表示更新部は、
前記コンテンツの各々について、前記カウント値と、前記更新用コンテンツ領域から前記フレームバッファ転送用領域へのデータ転送処理能力とに基づいて、次の垂直同期信号の発生時より前に転送対象のコンテンツの転送を完了できるか否かの判定を行い、
前記次の垂直同期信号の発生時より前に前記転送対象のコンテンツの転送を完了できる場合には、当該コンテンツの転送を行う
ことを特徴とする画像表示装置。
【請求項２】
前記描画制御部は、前記データ転送処理能力を定義した装置状態リストを記憶する装置状態リスト記憶部を有し、
前記表示更新部は、前記次の垂直同期信号の発生時より前に前記転送対象のコンテンツの転送を完了できない場合には、当該コンテンツの転送を行わない
ことを特徴とする請求項１に記載の画像表示装置。
【請求項３】
前記表示更新部は、
前記次の垂直同期信号の発生時より前に前記転送対象のコンテンツの転送を完了できない場合には、前記転送対象のコンテンツを更新候補コンテンツとして、次フレーム以降に転送対象のコンテンツとする
ことを特徴とする請求項２に記載の画像表示装置。
【請求項４】
スケジュール情報に基づいて、表示する描画データの表示パタンを構成するコンテンツの生成指示と前記表示パタンの切り替え指示を行うコンテンツ制御部と、
前記コンテンツの素材となるコンテンツ素材を格納するデータ記憶部と、
前記コンテンツ制御部からの前記コンテンツの生成指示に基づいて前記データ記憶部に記憶されるコンテンツ素材を加工し前記描画データ記憶部に転送するコンテンツ展開部と
をさらに備えることを特徴とする請求項１から３までのいずれか１項に記載の画像表示装置。
【請求項５】
前記フレームバッファ転送用領域は、現在表示している表示パタンの描画データである転送用描画データを格納する第１領域と、次に表示する表示パタンの描画データである転送用描画データを格納する第２領域とを含み、
前記更新用コンテンツ領域は、現在表示している表示パタンを構成するコンテンツが更新時に使用する描画データを格納する第１コンテンツ領域と、次に表示する表示パタンを構成するコンテンツが更新時に使用する描画データを格納する第２コンテンツ領域とを含み、
前記表示更新部は、前記コンテンツ制御部からの表示パタン切り替え指示を受けて、前記垂直同期信号検出の通知を受けた後に、前記フレームバッファ転送用領域を前記第１領域から前記第２領域に切り替える
ことを特徴とする請求項４に記載の画像表示装置。
【請求項６】
前記コンテンツ展開部は、前記カウンタ部のカウント値と前記データ転送処理能力を定義した装置状態リストの展開時間とに応じて、展開するコンテンツを分割することを特徴とする請求項４に記載の画像表示装置。
【請求項７】
前記データ転送処理能力を定義した装置状態リストは、複数の状態に応じた定義を含み、
前記コンテンツ制御部は、前記スケジュール情報に基づいて性能種別変更指示を行い、
前記表示更新部は、前記コンテンツ制御部からの性能種別変更指示を受けて、指定された装置状態情報に規定される転送能力に基づいて更新処理を行い、
前記コンテンツ展開部は、前記コンテンツ制御部からの性能種別変更指示を受けて、指定された装置状態情報に規定される転送能力に基づいて展開処理を行う
ことを特徴とする請求項４に記載の画像表示装置。
【請求項８】
前記装置状態リストは、静止画サイズと該静止画サイズの静止画の転送処理時間を含むことを特徴とする請求項７に記載の画像表示装置。
【請求項９】
前記装置状態リストは、１文字のフォントのフォントデータの転送処理時間をさらに含むことを特徴とする請求項７又は８に記載の画像表示装置。
【請求項１０】
描画データを記憶するフレームバッファと、垂直同期信号を生成し、前記フレームバッファに記憶されている描画データに基づく画像を表示する表示部と、前記垂直同期信号を検出して、垂直同期信号検出の通知を出力する垂直同期検出部と、前記垂直同期信号の発生時からの経過時間を示すカウント値を出力するカウンタ部と、前記フレームバッファに転送される転送用描画データを格納するフレームバッファ転送用領域と前記フレームバッファ転送用領域に格納されている描画データを構成するコンテンツの更新に使用する更新用描画データを格納する更新用コンテンツ領域とを有する描画データ記憶部と、表示更新部を有する描画制御部とを備えた画像表示装置における、画像表示方法であって、
前記描画制御部が、前記表示部が表示する表示パタンを構成するコンテンツを受け取り、該コンテンツを定義したコンテンツプロファイルを生成する工程と、
前記垂直同期信号検出の通知を受けて、前記フレームバッファ転送用領域が格納している転送用描画データを前記フレームバッファに転送する工程と、
前記コンテンツプロファイルに含まれる更新周期に基づいて決まる、対象となる更新用コンテンツ領域の更新用描画データを、前記フレームバッファ転送用領域に転送して、前記転送用描画データを変更する工程と
を有し、
前記描画制御部は、
前記コンテンツの各々について、前記カウント値と、前記更新用コンテンツ領域から前記フレームバッファ転送用領域へのデータ転送処理能力とに基づいて、次の垂直同期信号の発生時より前に転送対象のコンテンツの転送を完了できるか否かの判定を行い、
前記次の垂直同期信号の発生時より前に前記転送対象のコンテンツの転送を完了できる場合には、当該コンテンツの転送を行う
ことを特徴とする画像表示方法。
【請求項１１】
前記描画制御部は、前記データ転送処理能力を定義した装置状態リストを記憶する装置状態リスト記憶部を有し、
前記次の垂直同期信号の発生時より前に前記転送対象のコンテンツの転送を完了できない場合には、当該コンテンツの転送を行わない
ことを特徴とする請求項１０に記載の画像表示方法。
【請求項１２】
前記次の垂直同期信号の発生時より前に前記転送対象のコンテンツの転送を完了できない場合には、前記転送対象のコンテンツを更新候補コンテンツとして、次フレーム以降に転送対象のコンテンツとすることを特徴とする請求項１１に記載の画像表示方法。
【請求項１３】
スケジュール情報に基づいて、表示する描画データの表示パタンを構成するコンテンツの生成指示と前記表示パタンの切り替え指示を行うコンテンツ制御部と、前記コンテンツの素材となるコンテンツ素材を格納するデータ記憶部とをさらに備える画像表示装置における、画像表示方法であって、
前記コンテンツ制御部からの前記コンテンツの生成指示に基づいて前記データ記憶部に記憶されるコンテンツ素材を加工し前記描画データ記憶部に転送する工程を
さらに有することを特徴とする請求項１０から１２までのいずれか１項に記載の画像表示方法。
【請求項１４】
前記フレームバッファ転送用領域は、現在表示している表示パタンの描画データである転送用描画データを格納する第１領域と、次に表示する表示パタンの描画データである転送用描画データを格納する第２領域とを含み、
前記更新用コンテンツ領域は、現在表示している表示パタンを構成するコンテンツが更新時に使用する描画データを格納する第１コンテンツ領域と、次に表示する表示パタンを構成するコンテンツが更新時に使用する描画データを格納する第２コンテンツ領域とを含み、
前記コンテンツ制御部からの表示パタン切り替え指示を受けて、前記垂直同期信号検出の通知を受けた後に、前記フレームバッファ転送用領域を前記第１領域から前記第２領域に切り替える工程を有する
ことを特徴とする請求項１３に記載の画像表示方法。
【請求項１５】
前記カウンタ部のカウント値と前記データ転送処理能力を定義した装置状態リストの展開時間とに応じて、展開するコンテンツを分割する工程を有することを特徴とする請求項１３に記載の画像表示方法。
【請求項１６】
前記データ転送処理能力を定義した装置状態リストは、複数の状態に応じた定義を含み、
前記コンテンツ制御部が、前記スケジュール情報に基づいて性能種別変更指示を行う工程と、
前記表示更新部が、前記コンテンツ制御部からの性能種別変更指示を受けて、指定された装置状態情報に規定される転送能力に基づいて更新処理を行う工程と、
前記コンテンツ制御部からの性能種別変更指示を受けて、指定された装置状態情報に規定される転送能力に基づいて展開処理を行う工程と
を有することを特徴とする請求項１３に記載の画像表示方法。
【請求項１７】
前記装置状態リストは、静止画サイズと該静止画サイズの静止画の転送処理時間を含むことを特徴とする請求項１６に記載の画像表示方法。
【請求項１８】
前記装置状態リストは、１文字のフォントのフォントデータの転送処理時間をさらに含むことを特徴とする請求項１６又は１７に記載の画像表示方法。
【手続補正２】
【補正対象書類名】明細書
【補正対象項目名】０００７
【補正方法】変更
【補正の内容】
【０００７】
本発明の一態様に係る画像表示装置は、描画データを記憶するフレームバッファと、垂直同期信号を生成し、前記フレームバッファに記憶されている描画データに基づく画像を表示する表示部と、前記垂直同期信号を検出して、垂直同期信号検出の通知を出力する垂直同期検出部と、前記垂直同期信号の発生時からの経過時間を示すカウント値を出力するカウンタ部と、前記フレームバッファに転送される転送用描画データを格納するフレームバッファ転送用領域と前記フレームバッファ転送用領域に格納されている描画データを構成するコンテンツの更新に使用する更新用描画データを格納する更新用コンテンツ領域とを有する描画データ記憶部と、表示更新部を有する描画制御部とを備え、前記描画制御部は、前記表示部が表示する表示パタンを構成するコンテンツを受け取り、該コンテンツを定義したコンテンツプロファイルを生成し、前記垂直同期信号検出の通知を受けて、前記フレームバッファ転送用領域が格納している転送用描画データを前記フレームバッファに転送させ、前記コンテンツプロファイルに含まれる更新周期に基づいて決まる、対象となる更新用コンテンツ領域の更新用描画データを、前記フレームバッファ転送用領域に転送して、前記転送用描画データを変更し、前記表示更新部は、前記コンテンツの各々について、前記カウント値と、前記更新用コンテンツ領域から前記フレームバッファ転送用領域へのデータ転送処理能力とに基づいて、次の垂直同期信号の発生時より前に転送対象のコンテンツの転送を完了できるか否かの判定を行い、前記次の垂直同期信号の発生時より前に前記転送対象のコンテンツの転送を完了できる場合には、当該コンテンツの転送を行うことを特徴とする。
【手続補正３】
【補正対象書類名】明細書
【補正対象項目名】０００８
【補正方法】変更
【補正の内容】
【０００８】
本発明の他の態様に係る画像表示方法は、描画データを記憶するフレームバッファと、垂直同期信号を生成し、前記フレームバッファに記憶されている描画データに基づく画像を表示する表示部と、前記垂直同期信号を検出して、垂直同期信号検出の通知を出力する垂直同期検出部と、前記垂直同期信号の発生時からの経過時間を示すカウント値を出力するカウンタ部と、前記フレームバッファに転送される転送用描画データを格納するフレームバッファ転送用領域と前記フレームバッファ転送用領域に格納されている描画データを構成するコンテンツの更新に使用する更新用描画データを格納する更新用コンテンツ領域とを有する描画データ記憶部と、表示更新部を有する描画制御部とを備えた画像表示装置における、画像表示方法であって、前記描画制御部が、前記表示部が表示する表示パタンを構成するコンテンツを受け取り、該コンテンツを定義したコンテンツプロファイルを生成する工程と、前記垂直同期信号検出の通知を受けて、前記フレームバッファ転送用領域が格納している転送用描画データを前記フレームバッファに転送する工程と、前記コンテンツプロファイルに含まれる更新周期に基づいて決まる、対象となる更新用コンテンツ領域の更新用描画データを、前記フレームバッファ転送用領域に転送して、前記転送用描画データを変更する工程とを有し、前記描画制御部は、前記コンテンツの各々について、前記カウント値と、前記更新用コンテンツ領域から前記フレームバッファ転送用領域へのデータ転送処理能力とに基づいて、次の垂直同期信号の発生時より前に転送対象のコンテンツの転送を完了できるか否かの判定を行い、前記次の垂直同期信号の発生時より前に前記転送対象のコンテンツの転送を完了できる場合には、当該コンテンツの転送を行うことを特徴とする。